(57)【要約】【課題】  汎用性の割に小型化が可能な通信用コンセントを提供する。【解決手段】  施工面から引き出される光ファイバコードや同軸ケーブルのようなケーブルＣが挿通されるケーブル挿通穴１０ｄをハウジング１に設けた。ケーブル挿通穴１０ｄに各種のケーブルＣを挿通することで、それらのケーブルＣを使用する各種の環境に対応することができるから、汎用性が向上する。また、ケーブル挿通穴１０ｄは各種のケーブルＣで共用とすることができるから、各種のケーブルＣに対応した各種のコネクタをそれぞれ設ける場合に比べて小型化が可能となる。【選択図】図１
2007227175.tif 000002
【特許請求の範囲】
【請求項１】
加入者線が接続される入力端子と、
モジュラプラグを介して電話機が接続される電話機用モジュラジャックと、モジュラプラグを介してスプリッタのＬＩＮＥ端子へ接続されるスプリッタ入力側用モジュラジャックと、モジュラプラグを介してスプリッタのＰＨＯＮＥ端子へ接続されるスプリッタ出力側用モジュラジャックと、
入力端子を電話機用モジュラジャックとスプリッタ入力側用モジュラジャックとの一方に択一的に接続する切替スイッチと、
入力端子と電話機用モジュラジャックとスプリッタ入力側用モジュラジャックとスプリッタ出力側用モジュラジャックと切替スイッチとをそれぞれ保持して施工面に固定されるハウジングとを備え、
ハウジングには、施工面から引き出されたケーブルが挿通されるケーブル挿通穴が設けられていることを特徴とする情報コンセント。
【請求項２】
各モジュラジャックにおいてモジュラプラグが挿入されるプラグ挿入口のうち、スプリッタ入力側用モジュラジャックのプラグ挿入口が、最もケーブル挿通穴に近い位置に配置されていることを特徴とする請求項１記載の情報コンセント。
【請求項３】
弾性を有する材料からなり扁平な形状であってケーブル挿通穴においてケーブルが挿通される方向に厚さ方向を向けてケーブル挿通穴を覆うノックアウト体を備え、
ノックアウト体には、ハウジングの外側へ開口してケーブル挿通穴に連通する貫通穴が厚さ方向に貫設されるとともに、貫通穴から放射状に延設された複数本の溝が少なくとも一方の面に設けられていることを特徴とする請求項１又は請求項２のいずれか記載の情報コンセント。
【発明の詳細な説明】
【技術分野】
【０００１】
本発明は、情報コンセントに関するものである。
【背景技術】
【０００２】
従来から、電話機やファクシミリ等の通信機器に接続されたモジュラプラグをそれぞれ接続可能な複数個のモジュラジャックを備える情報コンセントが提供されている（例えば、特許文献１参照）。
【特許文献１】特開２００５−３１８３０２号公報
【発明の開示】
【発明が解決しようとする課題】
【０００３】
近年、ケーブルテレビ用の回線を用いたインターネットへの接続サービスや光通信など、従来の情報コンセントが備えていたような電話機用のモジュラジャックでは対応できない多様な通信サービスが提供されており、情報コンセントにおいてはこれらへの対応が求められている。
【０００４】
しかし、ケーブルテレビ用の回線へ接続するために同軸コネクタを設け、光通信用の光ファイバコードを接続するために光コネクタを設けるといったように、各通信サービスに対してそれぞれコネクタを設けた場合、情報コンセントが大型化してしまう。
【０００５】
本発明は上記事由に鑑みて為されたものであり、その目的は、汎用性の割に小型化が可能な通信用コンセントを提供することにある。
【課題を解決するための手段】
【０００６】
請求項１の発明は、加入者線が接続される入力端子と、モジュラプラグを介して電話機が接続される電話機用モジュラジャックと、モジュラプラグを介してスプリッタのＬＩＮＥ端子へ接続されるスプリッタ入力側用モジュラジャックと、モジュラプラグを介してスプリッタのＰＨＯＮＥ端子へ接続されるスプリッタ出力側用モジュラジャックと、入力端子を電話機用モジュラジャックとスプリッタ入力側用モジュラジャックとの一方に択一的に接続する切替スイッチと、入力端子と電話機用モジュラジャックとスプリッタ入力側用モジュラジャックとスプリッタ出力側用モジュラジャックと切替スイッチとをそれぞれ保持して施工面に固定されるハウジングとを備え、ハウジングには、施工面から引き出されたケーブルが挿通されるケーブル挿通穴が設けられていることを特徴とする。
【０００７】
この発明によれば、モジュラジャックを用いた電話やＡＤＳＬ等のサービスに対応することができるだけでなく、ケーブル挿通穴に光ファイバコードや同軸ケーブルといった各種のケーブルを挿通することにより、それらのケーブルを用いる光通信やケーブルテレビといった各種のサービスに対応することができる。また、ケーブル挿通穴は各種のケーブルで共用とすることができるから、各種のケーブルに対応した各種のコネクタをそれぞれ設ける場合に比べて小型化が可能となる。
【０００８】
請求項２の発明は、請求項１の発明において、各モジュラジャックにおいてモジュラプラグが挿入されるプラグ挿入口のうち、スプリッタ入力側用モジュラジャックのプラグ挿入口が、最もケーブル挿通穴に近い位置に配置されていることを特徴とする。
【０００９】
この発明によれば、ケーブル挿通穴に挿通されるケーブルとスプリッタ入力側用モジュラジャックとはともに外部に直接接続されるものであるから、どのプラグ挿入口がスプリッタ入力側用モジュラジャックのものであるかが視覚的に認識しやすくなる。
【００１０】
請求項３の発明は、請求項１又は請求項２のいずれかの発明において、弾性を有する材料からなり扁平な形状であってケーブル挿通穴においてケーブルが挿通される方向に厚さ方向を向けてケーブル挿通穴を覆うノックアウト体を備え、ノックアウト体には、ハウジングの外側へ開口してケーブル挿通穴に連通する貫通穴が厚さ方向に貫設されるとともに、貫通穴から放射状に延設された複数本の溝が少なくとも一方の面に設けられていることを特徴とする。
【００１１】
この発明によれば、ケーブル挿通穴に挿通するケーブルの径に応じて、貫通穴を起点として溝のところでノックアウト体を裂くことにより、ケーブル挿通穴の内面とケーブルとの間の隙間をノックアウト体によって塞ぐことができるから、ノックアウト体を設けない場合に比べて見栄えが改善される。
【発明の効果】
【００１２】
本発明によれば、施工面から引き出されたケーブルが挿通されるケーブル挿通穴がハウジングに設けられているので、モジュラジャックを用いた電話やＡＤＳＬ等のサービスに対応することができるだけでなく、ケーブル挿通穴に光ファイバコードや同軸ケーブルといった各種のケーブルを挿通することにより、それらのケーブルを用いる光通信やケーブルテレビといった各種のサービスに対応することができる。また、ケーブル挿通穴は各種のケーブルで共用とすることができるから、各種のケーブルに対応した各種のコネクタをそれぞれ設ける場合に比べて小型化が可能となる。
【発明を実施するための最良の形態】
【００１３】
以下、本発明を実施するための最良の形態について、図面を参照しながら説明する。
【００１４】
本実施形態は、図１に示すように、それぞれモジュラプラグ（図示せず）が挿入される３個のプラグ挿入穴１０ａ〜１０ｃと壁面等の施工面（図示せず）から引き出されたケーブルＣが挿通されるケーブル挿通穴１０ｄ（図２参照）とがそれぞれ前面に設けられた略直方体形状のハウジング１を備える。以下、構造の説明に当たっては、上下方向は図１を基準とし、図１の左上−右下方向を左右方向と呼び、図１の左下−右上方向を前後方向と呼ぶ。
【００１５】
ハウジング１には、図２に示すように、３個のモジュラジャック２ａ〜２ｃと各モジュラジャック２ａ〜２ｃがそれぞれ実装されたプリント配線板２０とを有するモジュラブロック２と、加入者線（図示せず）が接続される入力端子３０（図３（ａ）（ｂ）参照）を有する入力端子ブロック３とが収納されている。
【００１６】
ハウジング１は、モジュラブロック２や入力端子ブロック３がそれぞれ収納される収納凹部４０が前面に開口した後側ボディ４と、後面が開放された略直方体形状であってプラグ挿入穴１０ａ〜１０ｃとケーブル挿通穴１０ｄとがそれぞれ前面に開口し後側ボディ４の前側に結合して前方から見て後側ボディ４を覆う前側ボディ５とからなる。後側ボディ４の収納凹部４０の底面には、入力端子３０を後方へ露出させるための端子露出穴４０ａが前後に貫設されている。後側ボディ４及び前側ボディ５はそれぞれ例えば合成樹脂成形品からなる。
【００１７】
ハウジング１は、上下の寸法が、日本工業規格（ＪＩＳ  Ｃ８３０４参照）において大角連用形と称する埋込型の配線器具の施工時に用いる既成の取付枠（図示せず）に３個まで取付可能な配線器具の３個分の寸法（以下、「３個モジュール寸法」と呼ぶ。）となっており、取付枠を用いて施工面に固定される。前側ボディ５は、上下方向の寸法が上記配線器具の３個分であって左右方向の寸法が上記配線器具の２個分のいわゆる２連接の窓穴に対応した寸法であって取付枠の窓穴に後方から挿入される直方体形状のボス部５ａと、ボス部５ａの左右にそれぞれ突設され前面がボス部５ａの前面よりも後側に位置して取付枠の後側に位置する鍔部５ｂとを有する。また、前側ボディ５の左右の両端面には、それぞれ、取付枠の窓穴の内周面に設けられた取付穴に係合可能な取付爪５１が２組ずつ上下に並べて突設されている。
【００１８】
後側ボディ４において収納凹部４０の左側には、上方向と前後方向とにそれぞれ開放されてケーブル挿通穴１０ｄに連通するケーブル挿通凹部４１が設けられている。また、後側ボディ４の左右両側の前端部には、それぞれ鍔片４２，４３が左右方向の外側へ突設されている。また、右側の鍔片４２には２個の係合穴４２ａが上下に並べて前後に貫設され、左側の鍔片４３には１個の係合穴４３ａが前後に貫設されている。前側ボディ５の左右両端部において係合穴４２ａ，４３ａに対応する位置にはそれぞれ係合片５２が後方へ突設されている。各係合片５２はそれぞれ後端部を左右に変位させるように弾性変形可能となっている。各係合片５２の後端部には、それぞれ左右方向の外側へ突出する係合爪５２ａが突設されており、各係合片５２がそれぞれ係合穴４２ａ，４３ａに挿入されて係合爪５２ａが鍔片４２，４３の後面に係合することにより、後側ボディ４と前側ボディ５とは互いに結合している。
【００１９】
次に、モジュラジャック２ａ〜２ｃ周辺の構成について説明する。本実施形態におけるモジュラジャック２ａ〜２ｃは、図３（ａ）（ｂ）に示すように、モジュラプラグを介して電話機やファクシミリ等の通信用の機器（図示せず）が接続される電話機用モジュラジャック２ａと、モジュラプラグを介してスプリッタＳＰのＬＩＮＥ端子へ接続されるスプリッタ入力側用モジュラジャック２ｂと、モジュラプラグを介してスプリッタＳＰのＰＨＯＮＥ端子へ接続されるスプリッタ出力側用モジュラジャック２ｃとである。ここで、スプリッタＳＰは、加入者線に接続されるＬＩＮＥ端子と、パーソナルコンピュータなどの端末機にモデムを介して接続されるＡＤＳＬ端子と、電話機等の機器に接続されるＰＨＯＮＥ端子とを備え、ＬＩＮＥ端子から入力された電気信号をＡＤＳＬ信号とそれ以外の信号（以下、「電話用信号」と呼ぶ。）とに分け、ＡＤＳＬ信号をＡＤＳＬ端子から出力するとともに、電話用信号をＰＨＯＮＥ端子から出力するものである。電話機用モジュラジャック２ａとスプリッタ出力側用モジュラジャック２ｃとは互いに接続されている。
【００２０】
電話機用モジュラジャック２ａはハウジング１の右上端付近に配置され、スプリッタ出力側用モジュラジャック２ｃは電話機用モジュラジャック２ａに対して下側に並べて配置され、スプリッタ入力側用モジュラジャック２ｂはスプリッタ出力側用モジュラジャック２ｃに対して左側に並べて配置されている。また、各モジュラジャック２ａ〜２ｃは、それぞれ、モジュラケーブル（図示せず）に設けられたモジュラプラグが挿入されるプラグ挿入口２１ａが前面に開口した略直方体形状のハウジング２１を有する。各プラグ挿入口２１ａの内部には、それぞれ導電材料からなりモジュラプラグに設けられたコンタクト（図示せず）に一対一に接触導通するコンタクト（図示せず）が設けられている。ここで、入力端子３０はそれぞれモジュラケーブルを構成する素線に一対一に対応する複数個の導電体で構成されており、本願明細書において単に「接続」といった場合には、対応する導電体同士を互いに電気的に接続することを指す。なお、図３（ａ）（ｂ）では、１本のモジュラケーブルや１個のモジュラジャック２ａ〜２ｃに対応する１組の導電路を一本の線で表している。
【００２１】
プラグ挿入穴１０ａ〜１０ｃは、電話機用モジュラジャック２ａのプラグ挿入口２１ａの前側に位置する電話機用プラグ挿入穴１０ａと、スプリッタ入力側用モジュラジャック２ｂのプラグ挿入口２１ａの前側に位置するスプリッタ入力側用プラグ挿入穴１０ｂと、スプリッタ出力側用モジュラジャック２ｃのプラグ挿入口２１ａの前側に位置するスプリッタ出力側用プラグ挿入穴１０ｃとである。前側ボディ５の前面には、底面に電話機用プラグ挿入穴１０ａが開口した第１の凹部１１と、底面にスプリッタ入力側用プラグ挿入穴１０ｂとスプリッタ出力側用プラグ挿入穴１０ｃとケーブル挿通穴１０ｄとがそれぞれ開口した第２の凹部１２とが設けられている。
【００２２】
さらに、前側ボディ５には、第２の凹部１２を開閉するカバー１３が取り付けられている。第２の凹部１２を閉じた状態での方向を基準として詳しく説明すると、カバー１３は、左右に長く前後に扁平であって後面が開放された直方体形状である。カバー１３の左右両端面のそれぞれ下端部には軸突起１３ａが左右方向の外向きに突設され、第２の凹部１２の左右の内面の下端部にはそれぞれ軸受け凹部１２ａが設けられており、軸突起１３ａが軸受け凹部１２ａに軸支されることにより、カバー１３は図４や図５に示すように短手方向（図２での上下方向）のうち軸突起１３ａから離れた側の一端（図２での上端。以下、「可動端」と呼ぶ。）を上方に向けて第２の凹部１２に収納された状態でプラグ挿入穴１０ｂ，１０ｃを覆う閉位置と、図１や図６に示すように可動端を前方へ向けて第２の凹部１２を開放しプラグ挿入穴１０ｂ，１０ｃを露出させる開位置との間で回動自在となっている。また、カバー１３の左右両端面において可動端側の端部には、それぞれ係止突起１３ｂが左右方向の外側へ突設され、第２の凹部１２の左右の内面のそれぞれ上端部には係止凹部１２ｂが設けられていて、閉位置では係止突起１３ｂが係止凹部１２ｂに係入することにより、カバー１３の開位置への回動が禁止される。さらに、第２の凹部１２の上側の内面において左右方向の中央には、前方に開放された操作凹部１２ｃが設けられ、カバー１３の可動端側の端面において左右方向の中央には後方に開放された引掛凹部１３ｃが設けられており、閉位置にあるカバー１３を開く際には操作凹部１２ｃを通じて手の爪などを引掛凹部１３ｃに挿入して引掛けることにより、容易にカバー１３を開くことができる。
【００２３】
また、第２の凹部１２の底面においてプラグ挿入穴１０ｂ，１０ｃの下側にはカバー挿通穴１２ｄが前後に貫設され、後側ボディ４において収納凹部４０の下側にはカバー収納凹部４４が設けられている。また、軸受け凹部１２ａは後方へ開放され、カバー収納凹部４４の左右の内面にはそれぞれ軸受け凹部１２ａに連通するガイド凹部４４ａが設けられている。カバー挿通穴１２ｄ及びカバー収納凹部４４の寸法形状は、それぞれカバー１３を閉位置で上方から見た寸法形状よりも僅かに大きくしてある。これにより、カバー１３が開位置にあるときには、カバー１３を後方へ押し込むことにより、軸突起１３ａを軸受け凹部１２ａからガイド凹部４４ａへスライドさせ、カバー１３をカバー収納凹部４４から第２の凹部１２にかけて収納し、カバー１３が前側ボディ５の前方へ突出しないようにすることができる。
【００２４】
さらに、前側ボディ５の後側には、例えば金属板に打ち抜き加工や曲げ加工が施されてなり前後に扁平な取付板７が、前側ボディ５の後面との間に隙間を空けて前側ボディ５に対し例えば嵌合により固定されている。取付板７においてモジュラジャック２ａ〜２ｃのプラグ挿入口２１ａの前側となる位置には、それぞれモジュラプラグが挿通されるプラグ挿通穴７０ａ〜７０ｃが前後に貫設されている。
【００２５】
また、モジュラジャック２ａ〜２ｃのプラグ挿入口２１ａへの埃等の異物の侵入を阻止するために、各モジュラジャック２ａ〜２ｃに対してそれぞれプラグ挿入穴１０ａ〜１０ｃを開閉する扉体８が設けられている。各扉体８はそれぞれ例えば合成樹脂成形品からなり前後に扁平であって、取付板７と前側ボディ５との間に挟まれることにより、それぞれプラグ挿入穴１０ａ〜１０ｃを閉塞する閉位置と、プラグ挿入穴１０ａ〜１０ｃの上方に退避してプラグ挿入穴１０ａ〜１０ｃを開放する開位置との間でスライド可能にガイドされている。各扉体８の下端には、それぞれ操作突起８２ａが前方へ突設されている。各操作突起８２ａはそれぞれプラグ挿入穴１０ａ〜１０ｃの開口よりも前方へ突出しており、扉体８を開く際には操作突起８２ａに手の爪等を引掛けることにより容易に扉体８を操作することができる。また、各扉体８の前面には、それぞれ扉体８を開く方向を示す上向きの矢印が描かれている。
【００２６】
各扉体８は、それぞれ、閉位置においてプラグ挿入穴１０ａ〜１０ｃの上半分を覆う上側板８１と、閉位置においてはプラグ挿入穴１０ａ〜１０ｃの下半分を覆い開位置においては上側板の後側に重なる下側板８２とからなる。操作突起８２ａは下側板８２に設けられている。上側板８１の上端には、扉体８が開く際に下側板８２が入り込む隙間を取付板７との間に確保するための突起８１ａが、左右両端からそれぞれ後方へ突設されている。
【００２７】
また、モジュラブロック２のプリント配線板２０において電話機用モジュラジャック２ａとスプリッタ出力側用モジュラジャック２ｃとの間には、入力端子３０を電話機用モジュラジャック２ａとスプリッタ入力側用モジュラジャック２ｂとの一方に択一的に接続する切替スイッチ９が実装されている。切替スイッチ９は、接点を収納したスイッチ本体９１と、スイッチ本体９１の前方へ突出してスイッチ本体９１に対して左右にスライド可能なハンドル９１ａとを有し、スイッチ本体９１に対するハンドル９１ａの位置に応じて接点が切り替えられるものである。
【００２８】
さらに、切替スイッチ９には、スイッチカバー９２が被着される。スイッチカバー９２は、後面が開放された直方体形状の本体部９２ａと、本体部９２ａの前面の中央部から前方へ突設された摘み部９２ｂとを有する。摘み部９２ｂの後側には切替スイッチ９のハンドル９１ａが嵌合する凹部（図示せず）が設けられている。スイッチカバー９２の後面の凹部の左右の寸法は切替スイッチ９よりも大きく、スイッチカバー９２は切替スイッチ９のスイッチ本体９１に対して左右にスライド可能となっている。そして、摘み部９２ｂを操作してスイッチカバー９２を切替スイッチ９のハンドル９１ａとともにスイッチ本体９１に対して左右にスライドさせることで、切替スイッチ９の接点を切り替えることができる。
【００２９】
取付板７において電話機用モジュラジャック２ａに対応するプラグ挿通穴７０ａとスプリッタ出力側用モジュラジャック２ｃに対応するプラグ挿通穴７０ｃとの間には、切替スイッチ９及びスイッチカバー９２が挿通されるスイッチ挿通穴７０ｄが前後に貫設されている。また、前側ボディ５において第１の凹部１１と第２の凹部１２との間にはスイッチカバー９２の摘み部９２ｂを前方に露出させる操作穴１０ｅが前後に貫設されており、切替スイッチ９を切り替えたいときには前方から操作穴１０ｅを通じて摘み部９２ｂを操作することができるようになっている。
【００３０】
ここで、切替スイッチ９は、スイッチ本体９１に対するハンドル９１ａの位置に応じて、図３（ａ）に示すように入力端子３０を電話用モジュラジャック２ａに接続する状態と、図３（ｂ）に示すように入力端子３０をスプリッタ入力側用モジュラジャック２ｂに接続する状態との一方に切り替わるものである。すなわち、スプリッタＳＰを用いないときには、切替スイッチ９を図３（ａ）に示す状態に切り替えることで、電話用モジュラジャック２ａに接続された電話機等の機器を加入者線に接続することができる。また、スプリッタＳＰを用いるときは、切替スイッチ９を図３（ｂ）に示す状態に切り替えることで、スプリッタ入力側用モジュラジャック２ｂに接続されたスプリッタＳＰのＬＩＮＥ端子を加入者線に接続することができる。この状態では、スプリッタＳＰのＰＨＯＮＥ端子をスプリッタ出力用モジュラジャック２ｃに接続すれば、電話用モジュラジャック２ａに接続された機器も使用可能となり、且つ、電話用モジュラジャック２ａに接続された機器においてＡＤＳＬ信号によるノイズが発生することもない。
【００３１】
次に、本実施形態の特徴であるケーブル挿通穴１０ｄ周辺について説明する。ケーブル挿通穴１０ｄは円形状であって、第２の凹部１２の底面においてスプリッタ入力側用プラグ挿入穴１０ｂの左側に、前後に貫設されている。つまり、プラグ挿入口２１ａのうちでケーブル挿通穴１０ｄから最も近い位置にあるものは、スプリッタ入力側用モジュラジャック２ｂのプラグ挿入口２１ａである。
【００３２】
さらに、ケーブル挿通穴１０ｄの後側には、例えばエラストマ樹脂のような弾性を有する柔軟な材料からなりケーブル挿通穴１０ｄを閉塞するノックアウト体１４が取り付けられている。ノックアウト体１４は、例えば前方から見て略長方形状であって、４隅にそれぞれ嵌合穴１４ａが前後に貫設され、前面の中央部には前方から見て外周の寸法形状がケーブル挿通穴１０ｄの寸法形状に略等しい円環形状の円環突起１４ｂが前方へ突設されている。前側ボディ５の後面において嵌合穴１４ａに対応する位置にはそれぞれ嵌合突起（図示せず）が突設されていて、この嵌合突起が嵌合穴１４ａに嵌合することと円環突起１４ｂがケーブル挿通穴１０ｄに嵌合することとにより、ノックアウト体１４は前側ボディ５に保持されている。また、前側ボディ５において前方から見て円環突起１４ｂの内側の部位の肉厚（前後の寸法）は外側の部位の肉厚よりも小さくしてある。さらに、前方から見て円環突起１４ｂの内側の部位の前面には、十字形状の溝１４ｃが設けられ、溝１４ｃが交差する中央には貫通穴（図示せず）が前後に貫設されている。すなわち、溝１４ｃにおいて貫通穴の上下左右に位置する各部位がそれぞれ請求項における溝である。
【００３３】
ケーブル挿通穴１０ｄに上記貫通穴よりも径の大きいケーブルＣを挿通したいときには、上記貫通穴を起点として溝１４ｃのところでノックアウト体１４を裂くことにより、ケーブルＣを挿通するために必要な最低限の大きさの穴をノックアウト体１４に容易に形成することができる。また、必要以上にノックアウト体１４が裂かれた場合にも、ノックアウト体１４が弾性復帰することによりケーブル挿通穴１４ｂの内面とケーブルＣとの間の隙間は塞がれる。すなわち、ケーブル挿通穴１０ｄの内面とケーブルＣとの間の隙間がノックアウト体１４によって塞がれることにより、ノックアウト体１４を設けない場合に比べて見栄えが改善されている。
【００３４】
上記構成によれば、モジュラジャック２ａ〜２ｃを使用する電話やＡＤＳＬ等に対応しているだけでなく、ケーブル挿通穴１０ｄを備えることにより、光ファイバコードや同軸ケーブルなどのケーブルＣをケーブル挿通穴１０ｄに挿通することで光通信やケーブルテレビといった他のサービスにも対応することができるから、汎用性が向上している。また、各種のケーブルＣで共用とされる１個のケーブル挿通穴１０ｄを追加するだけであるから、光コネクタや同軸コネクタといった各種のコネクタをそれぞれ増設する場合に比べて小型化が可能となる。
【００３５】
また、ケーブル挿通穴１０ｄに挿通されるケーブルＣと同様に外部に直接接続されるものであるスプリッタ入力側用モジュラジャック２ｂを、他のモジュラジャック２ａ，２ｃよりもケーブル挿通穴１０ｄの近くに配置しているから、他のモジュラジャック２ａ，２ｃのいずれかをスプリッタ入力側用モジュラジャック２ｂよりもケーブル挿通穴１０ｄの近くに配置する場合に比べ、どのプラグ挿入口２１ａがスプリッタ入力側用モジュラジャック２ｂのものであるかが視覚的に認識しやすくなっている。
【図面の簡単な説明】
【００３６】
【図１】本発明の実施形態のケーブル挿通穴にケーブルを挿通した状態を示す斜視図である。
【図２】同上を示す分解斜視図である。
【図３】同上の動作を示す説明図であり、（ａ）（ｂ）はそれぞれ切替スイッチの状態が互いに異なる状態を示す。
【図４】同上においてカバーが閉じた状態を示す斜視図である。
【図５】同上においてカバーが閉じた状態を示す正面図である。
【図６】同上においてカバーが開いた状態を示す正面図である。
【符号の説明】
【００３７】
１  ハウジング
２ａ  電話機用モジュラジャック
２ｂ  スプリッタ入力側用モジュラジャック
２ｃ  スプリッタ出力側用モジュラジャック
９  切替スイッチ
１０ｄ  ケーブル挿通穴
１４  ノックアウト体
２１ａ  プラグ挿入口
３０  入力端子
ＳＰ  スプリッタ
【図１】
2007227175.tif 000003
【図２】
2007227175.tif 000004
【図３】
2007227175.tif 000005
【図４】
2007227175.tif 000006
【図５】
2007227175.tif 000007
【図６】
2007227175.tif 000008